(57)【要約】【課題】既知の電動モータの欠点を回避し、小型構造を有し、軽量であり、経済的な製造のために必要な条件を備えた電動モータを製作する。【解決手段】電動モータ（１０）は、動磁場を生成する一次側部分（１１）及び静磁場を生成する二次側部分（１２）を含み、二次側部分（１２）と一次側部分（１１）は動磁場の影響下で相対的に移動可能である。二次側部分（１２）は、層構造の形で、基板及び基板に付された導体路とを備えた装置（１３、１３’）を含み、導体路は静磁場を生成する目的のため電流が供給され得る。【選択図】      図１Ａ
2005065488.tif 000002
【特許請求の範囲】
【請求項１】
動磁場を生成する一次側部分（１１、２１、９１、１１１）及び静磁場を生成する二次側部分（１２、２２、９２、１１２）を含み、二次側部分と一次側部分は動磁場の影響下で相対的に移動可能である、電動モータ（１０、２０、９０、１１０）であって、二次側部分（１２、２２、９２、１１２）は、層構造（１３、１３’、２３、２３’、９３、９３’、１１３、１１３’）の形で、基板（５０）及び基板（５０）に付された導体路（６０）を含み、静磁場を生成するため電流（Ｉｓ）を導体路（６０）に供給することが可能であることを特徴とする、電動モータ。
【請求項２】
基板（５０）は平坦な表面を有することを特徴とする、請求項１に記載の電動モータ。
【請求項３】
電動モータはリニアモータ（１０、２０、９０、１１０）として構成されていることを特徴とする、請求項１または２に記載の電動モータ。
【請求項４】
導体路（６０）の少なくとも一区分はコイル型であり、各コイルは一つ以上の巻きを含むことを特徴とする、請求項１から３のいずれか一項に記載の電動モータ。
【請求項５】
導体路（６０）は、それぞれが層構造（１３、１３’、２３、２３’、９３、９３’、１１３、１１３’）の異なる層に形成された導体路区分（６１、６２）により構成されることを特徴とする、請求項１から４のいずれか一項に記載の電動モータ。
【請求項６】
導体路（６０）の第１の部分（６１）は基板（５０）の第１の表面に形成され、導体路（６０）の第２の部分（６２）は基板（５０）の第２の表面に形成され、電気接続部（６５）が第１の部分と第２の部分の間に生成されることを特徴とする、請求項１から５のいずれか一項に記載の電動モータ。
【請求項７】
導体路（６０）の複数の直列に配置された区分のそれぞれはコイル型であり、コイルは、電流（Ｉｓ）が導体路（６０）を通る場合に、隣接したコイルがそれぞれに異なる極性（＋、−）をもつ磁場を生成するように構成されていることを特徴とする、請求項１から６のいずれか一項に記載の電動モータ。
【請求項８】
導体路（６０）は、静磁場が二次側部分（１２）の表面で、二次側部分（１２）が一次側部分（１１）に対し相対的に移動可能である方向（Ｚ）に沿って磁場の極性（＋、−）が周期的に反転する複数の領域を有するように配置されることを特徴とする、請求項７に記載の電動モータ。
【請求項９】
一次側部分（１１）は基板（３０）に配置された導体路（４０）を含み、動磁場を生成するため電流強度が時間（ｔ）と共に変化する電流（ＩＰ（ｔ））をこの導体路（４０）に供給することが可能であることを特徴とする、請求項１から８のいずれか一項に記載の電動モータ。
【請求項１０】
一次側部分は基板に配置された複数の導体路を含み、これらの導体路のそれぞれは、動磁場を生成するため電流強度が時間と共に変化する電流が個々に供給されることを特徴とする、請求項１から８のいずれか一項に記載の電動モータ。
【請求項１１】
一次側部分の平面的な表面と二次側部分の平面的な表面とによって境界が定められたエアギャップは、一次側部分（１１、２１、９１、１１１）と二次側部分（１２、２２、９２、１１２）との間に形成されることを特徴とする、請求項１から１０のいずれか一項に記載の電動モータ。
【請求項１２】
二次側部分（１２、２２、９２、１１２）の層構造（１３、１３’、２３、２３’、９３、９３’、１１３、１１３’）は、磁性材料の支持体（１５、２５、９５、１１５）に固定され、支持体（１５、２５、９５、１１５）は層構造（１３、１３’、２３、２３’、９３、９３’、１１３、１１３’）のうち一次側部分（１１、２１、９１、１１１）から離れている方の側面に配置されていることを特徴とする、請求項１から１１のいずれか一項に記載の電動モータ。
【請求項１３】
請求項１から１２のいずれか一項に記載の電動モータ（１１０）を具備したリフト（１００）であって、リフト（１００）はケージ（１０２）を含み、ケージ（１０２）は電動モータ（１１０）によって軌道に沿って移動可能であり、一次側部分（１１１）はその軌道に沿って動かないように配置され、かつ二次側部分（１１２）はケージ（１０２）に配置されるか、又は、二次側部分はその軌道に沿って動かないように配置され、かつ一次側部分はケージに配置される、リフト。
【請求項１４】
軌道に沿ってケージ（１０２）を案内する手段（１０３）を具備し、一次側部分（１１１）及び二次側部分（１１２）は、ケージ（１０２）が軌道に沿って移動されるとき、一次側部分（１１１）と二次側部分（１１２）が互いに間隔を空けて案内されるように手段（１０３）に配置されている、請求項１３に記載のリフト。
【請求項１５】
請求項１から１２のいずれか一項に記載の電動モータ（９０）を具備したリフト（７０）であって、リフト（７０）は、少なくとも一つの案内面（７２’）に沿って移動可能であるケージ（７１）と、ケージ（７１）に可動的に配置され、案内面（７２’）と接触させられる案内素子（７６）とを含み、案内素子（７６）はケージ（７１）に対して電動モータ（９０）と一体的に移動可能である、リフト。
【請求項１６】
一次側部分（９１）は案内素子（７６）と一体的に移動可能であるように配置され、かつ二次側部分（９２）はケージ（７１）に対して動かないように配置され、又は、二次側部分は案内素子と一体的に移動可能であるように配置され、かつ一次側部分はケージに対して動かないように配置されている、請求項１５に記載のリフト。
【請求項１７】
ケージが案内面（７２’）に沿って移動する間にケージ（７１）の振動を軽減する電動モータ（９０）用の制御装置を具備している、請求項１５または１６に記載のリフト。
【発明の詳細な説明】
【技術分野】
【０００１】
本発明は、請求項１の導入部に記載された電動モータと、このような電動モータを用いて軌道に沿って移動可能なケージを備えたリフトとに関する。本発明のさらなる対象は、少なくとも一つの案内面に沿って移動可能なケージと、可動的にケージに配置され、案内面と接触させられる案内素子と、ケージに対する案内素子の相対移動のための電動モータとを備えたリフトである。
【背景技術】
【０００２】
上記の種類の電動モータは、欧州特許出願公開第０，９４９，７４８号明細書及び第０，９４９，７４９号明細書から知られている。これらの特許出願には、動磁場を生成する一次側部分及び静磁場を生成する二次側部分を含み、二次側部分と一次側部分がエアギャップにより物理的に分離され、動磁場の作用で相対的に移動可能である、リニアモータが記載されている。動磁場を生成するため、一次側部分は、印刷回路として絶縁基板に付された複数の平らな空心コイルを含む。コイルは、交流電流がコイルを流れるとき、基板の表面に沿って動く磁場を生成するように直列接続される。静磁場を生成するため、各永久磁石の磁化の極性が周期的に反転する周期的な磁気構造が二次側部分の表面に形成されるように、複数の永久磁石が二次側部分に配置される。この磁気構造は、磁場強度が周期的に変化する静磁場を与える。一次側部分用のコイルとして、単相又は複相の交流電流を供給するように構成された複数の構造が提案されている。これらのリニアモータは、二次側部分が永久磁石を具備するため重量が重いという欠点がある。さらに、永久磁石を使用すると部品コストが高くなる。というのは、一方で永久磁石は通常かなり高価であり、その上、複数の永久磁石を含む二次側部分の生産は費用がかかるので、コストが高くなるからである。二次側部分の生産コストは、生産コストの結果と対応して、特に、永久磁石の寸法をできる限り精密に一致させなければならないとき、及び、永久磁石の表面が平坦な表面を形成するような最高の精度で互いに平行に配置されなければならないときに上昇する。後者は、精密モータの場合、及び、一次側部分と二次側部分との間のエアギャップが狭い高性能モータの場合に該当する。
【０００３】
同期モータとして動作するリニアモータに基づくケージ用駆動システムを備えたリフトは、欧州特許出願公開第０，７８５，１６２号明細書に開示されている。リニアモータは、動磁場を生成する一次側部分及び静磁場を生成する二次側部分を含み、二次側部分と一次側部分はエアギャップによって物理的に分離され、動磁場の作用で相対的に移動することができる。ケージは、リニアモータだけを用いて、すなわち、別の支持手段若しくは釣り合いおもりを用いることなく、リフトシャフトの所定の位置で保持すること、又は、所定の軌道に沿って移動させることが可能である。二次側部分は、ケージの軌道に沿ってリフトシャフトの壁に配置された複数の永久磁石を含む。一次側部分は、ケージの側に配置され、それぞれの構造に応じて、動磁場を生成するため交流によって２相若しくは３相で制御することができるコイルを含む。ケージは、ケージが移動する場合に、リニアモータの一次側部分及び二次側部分が、実質的に一定間隔で相対的に移動するように案内される。この例では、二次側部分の永久磁石はシャフト壁でかなり広い面積を占める。したがって、この二次側部分の構造は、高材料コスト及び高生産コストをもたらし、二次側部分のリフトシャフトへの取り付けは、永久磁石の大重量のために費用がかかる。二次側部分は、リフトシャフトの全長に亘って変化しない強い静磁場を与えるので、磁場の望ましくない影響を回避するため、二次側部分の取り付け中に、及び、一般にリフトシャフトの保守作業中に、適切な予防的対策をとる必要がある。これは費用がかかるので不利である。
【０００４】
上記の種類の電動モータは、ケージが移動方向に対して横へ移動する間に起こり得るケージの振動を減衰させることができるようにリフトで使用される。複数のローラ案内体を用いて案内レールに沿って案内されるケージ付きのリフトは、欧州特許出願公開第０，７３１，０５１号明細書から公知である。各ローラ案内体はローラ型の３個の案内素子を含み、それぞれの案内素子は、一つの案内レール上の対応した案内面と接触させられ、ケージが案内レールに沿って動かされるとき、対応した案内面を転がる。案内素子は、それぞれ、ケージに対して移動できるように配置される。各ローラ案内体は二つのリニアモータを含み、ケージに対する案内素子のそれぞれの位置は、ケージがケージの移動方向に垂直な２方向で案内素子に対して移動可能であるように、制御可能である。ケージの移動方向に対して横向きのケージの振動は、慣性センサによって検出される。慣性センサの信号に依存して、コントロール機器は、ケージの振動をその都度補償するような形でリニアモータに案内素子を移動させる。各リニアモータは、動磁場を生成する一次側部分及び静磁場を生成する二次側部分を含み、二次側部分と一次側部分は動磁場の作用で相対的に移動可能である。一次側部分は、同一形状の二つの強磁性積層スタックを含む。積層スタックのそれぞれは、互いに隣接して配置され、それぞれの間に溝が形成された３個の歯を含む。積層スタックのそれぞれは対応したコイルを支え、コイルの巻きは中央の歯の付近に重ねられ、この歯に隣接する溝を通る。二つの積層スタックは、積層スタックの歯がペアとして互いに対向して並べられエアギャップによって分離されるように、平面に関して鏡像の形で配置される。このような形で配置された積層スタックは、コイルと一体となって、３個の磁極対を備えた電磁石を形成する。電流によるコイルのライクフェーズ（ｌｉｋｅ−ｐｈａｓｅ）駆動制御の場合、積層スタックには、各積層スタックの隣接した歯がそれぞれ異なる極性で磁化されるように磁束が生成される。これに対応して、交流によるコイルのライクフェーズ駆動制御の場合、歯の間を動く磁場がエアギャップに生成される。この動磁場による影響を受ける各リニアモータの二次側部分は移動可能である。各二次側部分は、対応した一次側部分の二つの積層スタックの間のエアギャップに可動的に配置され、それぞれが平板により構成され、その上に永久磁石が配置される。本例において、各リニアモータの一次側部分はケージの静止位置に配置され、これに対して、各リニアモータの二次側部分は、それぞれ、少なくとも一つの案内素子と連結される。これらのリニアモータの構造は多数の観点から不利である。モータは、一次側部分の構造の形態の結果としてだけではなく、二次側部分の構造の形態が原因となって、大きく、かつ、重い。これが不利である理由は、典型的に８個のリニアモータがケージの振動を減衰させるために必要とされるからである。本例では、リニアモータは、リフトの全重量のかなりの部分を占める。モータの一次側部分又は二次側部分は大重量であるので、所定の加速を実現するために、一次側部分と二次側部分との間に強い磁場を生成しなければならない。これは、高速運動がこれらのモータによって調整されるべきときに不利である。さらに、二次側部分の永久磁石はかなり大きい空間を必要とするので、積層スタック間のエアギャップの幅はかなり大きい。これは、リニアモータの効率に不利である。その上、積層スタック及びコイルの巻きの製造はコストがかかるので、一次側部分の生産は費用がかかる。さらなる欠点は、磁気相互作用が二次側部分の永久磁石と一次側部分の積層スタックとの間に存在することに認められる。この磁気相互作用は、二次側部分の位置、又は、二次側部分の一次側部分に対する移動の精密な制御を困難にする、外乱力の発生の原因となり得る。
【０００５】
米国特許出願公開第２００３／００００７７８号明細書には、リニアモータを用いて動かすことができるケージを備えたリフトが開示されている。リニアモータの二次側部分は、巻き付けられたコイルを備えてもよく、又は、このようなコイルと永久磁石の組み合わせを備えてもよい。この種類のコイルは、通常、鉄心に巻き付けられる。したがって、リニアモータは大重量と大体積をもつ。その上、リニアモータは多数の個別の部品から組み立てなければならないので、リニアモータの生産はコストがかかる。
【特許文献１】欧州特許出願公開第０，９４９，７４８号明細書
【特許文献２】欧州特許出願公開第０，９４９，７４９号明細書
【特許文献３】欧州特許出願公開第０，７８５，１６２号明細書
【特許文献４】欧州特許出願公開第０，７３１，０５１号明細書
【特許文献５】米国特許出願公開第２００３／００００７７８号明細書
【発明の開示】
【発明が解決しようとする課題】
【０００６】
本発明の目的は、既知の電動モータの上記欠点を回避し、小型構造を有し、軽量であり、経済的な製造のために必要な条件を備えた電動モータを製作することである。電動モータは、適切な寸法が与えられるならば、ケージの移動用又はケージに対する案内素子の移動用の駆動装置としてリフトで使用可能であろう。
【課題を解決するための手段】
【０００７】
上記目的は請求項１に記載された特徴を備えた電動モータによって達成される。請求項１に従属する請求項は、この電動モータの有利な実施形態を規定する。
【０００８】
本発明による電動モータは、動磁場を生成する一次側部分及び静磁場を生成する二次側部分を含み、二次側部分と一次側部分は動磁場の影響下で相対的に移動可能である。二次側部分は、基板に配置され、静磁場を生成する目的で電流を供給することができる、導体路を含む。
【０００９】
この二次側部分の特殊な構造は、永久磁石を用いることなく静磁場を与えることを可能にする。電動モータの動作のために必要な静磁場は、電流が導体路を介して供給されることにより電磁気的に生成される。したがって、永久磁石の使用に伴うあらゆる欠点が回避される。
【００１０】
本発明によれば、二次側部分は、本質的な基本要素として、導体路用の支持体の機能を果たし、二次側部分の望ましい機械的剛性を確保する基板を含む。これにより、小型であり、軽量であり、経済的に生産できる二次側部分の構築のための前提条件が作成される。基板及び導体路は、重層構造として構成することができる。導体路は、例えば、基板に付され、選択的に適当に構造化された薄い導電層から形成される。二次側部分の構築及び製造に関して、印刷回路のため開発されたテクノロジーがこの場合に使用可能である。これは経済的な製造を可能にする。
【００１１】
基板は高強度の材料から作られる。これは、大きい表面をもつ、より薄い基板の使用を可能にする。したがって、一方の寸法が極度に狭く、このため、一次側部分の磁極対の二つの極の間の特に狭いエアギャップの中を移動させることができる二次側部分が製作される。導体路は薄い導電層から形成され得るので、導体路の領域にかなり滑らかな表面を有する二次側部分を製作することが可能である。したがって、二次側部分を一次部分から特に狭い間隔で配置可能であり、それにより、高効率で動作可能である電動モータを製作することができる。
【００１２】
電動モータは多数の幾何学的構成で実現され得る。その都度一次側部分の形状に合わされる基板の形状は、対応して選択される。電動モータは、例えば、回転モータとして構成することができる。しかし、電動モータは、その他の形の運動機構、例えば、リニアモータとして設計してもよい。基板は、例えば、円柱の形状を有する。この場合、導体路は、例えば、円柱の長軸周りに回転可能である二次側部分を形成するため、円柱の周囲に配置される。二次側部分は、また、軸周りに回転可能である平坦な円板として構成することも可能である。この場合、円板の基礎表面は導体路を配置するため利用可能である。
【００１３】
或いは、例えば、リニアモータの場合、二次側部部分は、また、有限の長さをもつ軌道に沿って移動可能である平板として構成することができ、平板の基礎表面は導体路を配置するため利用可能である。
【００１４】
本発明による電動モータの一実施形態の二次側部分は、基板に種々の層を付すことにより生成された重層構造として着想することが可能である。層は、連続的に付され、選択的に適当に構造化される。このようにして、特性の異なる材料の３次元構造を基板に付することができる。個々の層は、電気的絶縁材料により構成され、又は、電気的絶縁材料の領域を含む。導体路は、層構造の異なる層に個々に形成された導体路区分により構成される。導体路の個々の区分は、例えば、種々の平面で交差し、電気的絶縁層によって交差領域で分離される。さらに、導体路の個々の区分を、中間層によって分離された種々の層に配置し、導体路のこれらの区分の間に電気接続部を生成する導電領域を中間層に設けることが可能である。
【００１５】
上記の層は、また、基板の両面に付してもよく、選択的に構造化される。本発明による電動モータのさらなる実施形態の二次側部分の場合、例えば、導体路の第１の部分は基板の第１の表面に形成され、導体路の第２の部分は基板の第２の表面に形成され、電気接続部が第１の部分と第２の部分の間に生成される。これにより、特に複雑な幾何学的構造を導体路に与えることが可能になる。
【００１６】
二次側部分の一変形において、導体路の少なくとも一区分は、例えば、コイル型であり、各コイルは一つ以上の巻きを含む。コイルは、基板の一方の面に配置してもよいが、コイルは、また、基板の異なる面に配置され、一体的に電気接続された導体路の種々の区分により構成してもよい。
【００１７】
二次側部分のさらなる変形において、導体路の複数の直列に配置された区分のそれぞれはコイル型であり、コイルは、電流が導体路を通る場合に、隣接したコイルがそれぞれに異なる極性をもつ磁場を生成するように構成されている。導体路は、例えば、導体路に直流が供給される場合、二次側部分が一次側部分に対して相対的に移動可能である方向に沿って周期的に極性反転する極性を有する静磁場が二次側部分の表面に生成されるように配置できる。このようにして、多数の磁極を設けるための二次側部分が作られる。導体路を適切に配置すると、基板上で利用可能な面積が効率的に利用される。これは、電動モータの効率の最適化のため、ならびに、二次側部分の一次側部分に対する相対的な移動をモータの動作中に制御できる精度のため適切である。
【００１８】
二次側部分のさらなる展開形では、静磁場を生成するため、相互に独立した電流を供給することができる複数の導体路も設けられる。特に大きいエネルギー密度を有する静磁場は、そのようにして作られた二次側部分によって生成することができる。この考え方に基づいて、モータの動作中に二次側部分を一次側部分に対して相対的に移動させるための最大力をさらに増加させることが可能である。
【００１９】
本発明による電動モータのさらなる展開形は、基板に配置された導体路を含む一次側部分を具備し、動磁場を生成する目的で、電流強度が時間と共に変化する電流をこの導体路に供給することが可能である。この電動モータの構造の場合、一次側部分は、本発明による二次側部分の設計の基礎となる考え方と同じ技術的な考え方に従って実現することができる。動磁場を生成するため、例えば、薄層を基板に付して、選択的にこれらの層を構造化することにより、重層構造として実現できる電気的構造体が設けられる。例えば、連続的に配置された複数の導体路の区分は、それぞれ、コイル型であり、コイルは、コイルに隣接する導体路に電流が流れる場合、極性の異なる対応した磁場を生成するように構成される。したがって、一次側部分だけでなく、二次側部分も、基板に付された薄い導電領域を含む層構造として実現できる。その結果として、一次側部分だけでなく、二次側部分も印刷回路の製作のため使用される技術によって生産される。
【００２０】
本発明による変形型の電動モータには複数の利点がある。薄い基板は、付加的に軽量であり、一次側部分と二次側部分のそれぞれに使用される。従来のモータ構造と比較すると、本例では、動磁場を生成するため、又は、静磁場を生成するために、強磁性体コア、巻線コイル、或いは、永久磁石は不要である。この変形型の電動モータは、したがって、特に軽量、小型、及び、有利な価格で作ることができる。本発明の範囲内で強磁性体コアと永久磁石を用いること無く一次側部分及び二次側部分を実現可能であることにより、電動モータの動作中の二次側部分の移動の制御が簡単化される。なぜならば、従来の電動モータの場合に強磁性体コア（通常、歯と溝が設けられている）と二次側部分との間に生じる外乱力が除去されるからである。軽量のため、モータは、特に高速運動の制御のために好適である。モータの制御の際に低質量だけを加速すればよいので、高速運動は効率的かつ精密に制御され得る。
【００２１】
本発明による上記の変形型の電動モータのさらなる展開形では、一次側部分は基板に配置された複数の導体路を含み、これらの導体路のそれぞれは、動磁場を生成する目的で、電流強度が時間と共に変化する電流が個々に供給される。各導体路は電流源によって独立に制御できるので、多相で制御可能な電動モータをこの考え方に従って構成することができる。
【００２２】
本発明による電動モータは、また、軌道に沿って移動可能であるケージ用の駆動装置としてリフトに使用することができる。電動モータは、例えば、一次側部分が軌道に沿って動かないように配置され、二次側部分がケージに配置されるような形で、リフトに設置することが可能である。或いは、二次側部分は軌道に沿って動かないように配置され、一次側部分はケージに配置されてもよい。その上、リフトは、軌道に沿ってケージを案内する手段を具備し、一次側部分及び二次側部分は、ケージが軌道に沿って移動されるとき、一次側部分と二次側部分が互いに間隔を空けて案内されるように、上記手段に配置される。後者によれば、電動モータのあらゆる運動とケージのあらゆる運動が共通の案内体によって制御されるという利点が得られる。電動モータの一次側部分又は二次側部分のための別個の案内体はこのようにして省かれる。
【００２３】
案内面に沿って移動可能であるケージと、ケージに可動的に配置され、案内面と接触させられる案内素子とを含むリフトにおいて、本発明による電動モータは、また、案内素子をケージに対して相対的に移動させるための駆動装置として使用可能である。その場合、電動モータは、一次側部分が案内素子と一体的に移動可能であるように配置され、二次側部分がケージに対して動かないように配置され、又は、二次側部分が案内素子と一体的に移動可能であるように配置され、一次側部分がケージに対して動かないように配置されるように、取り付けることができる。さらに、ケージの移動中に発生する可能性のあるケージの振動を軽減するための電動モータ用の制御装置をリフトに統合してもよい。
【発明を実施するための最良の形態】
【００２４】
次に、本発明の実施形態の例を種々の略図に基づいて説明する。
【００２５】
図１Ａは、動磁場を生成する一次側部分１１と静磁場を生成する二次側部分１２とを含む、本発明による電動モータ１０の説明図である。図１Ｂは、図１Ａの切断面１Ｂ−１Ｂによる電動モータ１０の図である。
【００２６】
図２Ａは、動磁場を生成する一次側部分２１と静磁場を生成する二次側部分２２とを含む、本発明による電動モータの説明図である。図２Ｂは、図２Ａの切断面２Ｂ−２Ｂによる電動モータ２０の図である。
【００２７】
電動モータ１０及び２０は共にリニアモータとして考えられている。一次側部分１１及び二次側部分１２、又は、一次側部分２１及び二次側部分２２は、それぞれ、図１Ａでは一次側部分１１に両側矢印で示され、図２Ａでは二次側部分２２に両側矢印で示されるように、座標系ＸＹＺのＺ方向で、一次側部分１１が二次側部分１２に対して相対的に移動可能であるように、又は、一次側部分２１が二次側部分２２に対して相対的に移動可能であるように構成されている。
【００２８】
電動モータ１０及び２０の本質的な相違点は、Ｚ方向における一次側部分１１又は２１と二次側部分１２又は２２のそれぞれの長手方向の広がりの程度である。電動モータ１０の場合、一次側部分１１は、二次側部分１２よりもＺ方向の長さが短い。電動モータ１０は、したがって、好ましくは、（二次側部分１２との対比において）一次側部分１１の方が比較的長い距離を移動させられるアプリケーションに有用である。これに反して、電動モータ２０の場合、一次側部分２１は二次側部分２２よりもＺ方向の長さが長い。したがって、電動モータ２０は、好ましくは、（一次側部分２１との対比において）二次側部分２２の方が比較的長い距離に亘って移動させられるアプリケーションに有用である。
【００２９】
二次側部分１２は、矩形板の形をした、Ｚ方向と平行に配置された装置１３、１３’を含み、それらの装置は、幅Ｗのエアギャップ１８の境界を定めるように互いに間隔が空けられている。装置１３及び１３’は、それぞれ、支持体１５に固定され、支持体は次にベース板１６に取り付けられる。一次側部分１１は、エアギャップ１８内でＺ方向に移動できるように成形され配置される。従来の案内部（図１Ａ及び１Ｂに図示されず）は、二次側部分１２に対する相対的な移動中に一次側部分１１をＺ方向に案内するため設けられている。装置１３及び１３’は、それぞれ、次に図３Ｂ−Ｃに関連して詳述される電磁手段を含み、各電磁手段は静磁場を生成する機能を果たす。この磁場は、通常、エアギャップ１８に存在するように生成されるが、ある種の状況では、エアギャップ１８から離れている方の装置１３及び１３’の側面にも存在するような形で生成される。エアギャップから離れている方の装置１３及び１３’の側面のできる限り小さい空間に磁束を集中させるため、支持体１５は軟磁性材料から作ることができる。
【００３０】
二次側部分２２は、その構造及び機能に関して、二次側部分１２と同様に作られる。
【００３１】
二次側部分２２は、矩形板の形をした、Ｚ方向と平行に配置された２つの装置２３、２３’を含み、それらの装置は、幅Ｗのエアギャップ２８の境界を定めるように互いに間隔が空けられている。装置２３及び２３’は、それぞれ、支持体２５に固定され、支持体は次にベース板２６に取り付けられる。一次側部分２１は、エアギャップ２８内でＺ方向に移動できるように成形され配置される。従来の案内部（図２Ａ及び２Ｂに図示されず）は、一次側部分２１に対する相対的な移動中に二次側部分２２をＺ方向に案内するため設けられている。装置２３及び２３’は、それぞれ、次に図３Ｂ−Ｃに関連して詳述される電磁手段を含み、各電磁手段は静磁場を生成する機能を果たす。この磁場は、通常、エアギャップ２８に存在するように生成されるが、ある種の状況では、エアギャップ２８から離れている方の装置２３及び２３’の側面にも存在するような形で生成される。エアギャップ２８から離れている方の装置２３及び２３’の側面のできる限り小さい空間に磁束を集中させるため、支持体２５は軟磁性材料から作ることができる。
【００３２】
一次側部分１１及び２２は、それぞれ、図３Ａに関連して詳述され、動磁場を生成する機能を有する電磁手段を含む。上記電磁手段は、好ましくは、Ｚ方向に動磁場を生成するため適合するように構成される。
【００３３】
図３Ａは、一次側部分１１を示すＸ方向の平面図である。図３Ｂは、装置１３、又は、装置１３と同一である装置１３’を示す同様にＸ方向の平面図である。図３Ｃは、点Ａ、Ｂ、Ｃ及びＤによって図３Ｂに表された多角形の辺に沿った図３Ｂの断面３Ｃ−３Ｃによる装置１３又は１３’の断面図である。
【００３４】
一次側部分１１は基板３０を含み、基板の基礎表面上に導体路４０が付される。導体路４０は両端を有し、各端はそれぞれの電気端子４７又は４８と接続される。電圧Ｕｐは、導体路４０に電流Ｉｐを供給するため電気端子４７及び４８に印加される。導体路は二つの導体路区分４１及び４２を有し、二つの導体路区分は、それぞれ基板３０の別々の面に配置され、電気接続部４５によってそれぞれの端ごとに一つに接続される。わかりやすくするため、図面への視線方向に対向する基板３０の基礎表面に設けられた導体路区分４１はそれぞれ実線で描かれ、図面への視線方向の反対側に対応する基板３０の基礎表面に設けられた導体路区分４２はそれぞれ破線で描かれている。導体路区分４１及び４２は、それぞれの巻きを有する複数のコイルが基板３０に形成されるように直列接続される。コイルは、その場合、互いに直接的に隣接した状態になるようＺ方向に並べられる。導体路区分４１及び４２は、隣接したコイルに逆向きに循環する電流Ｉｐが流れるように接続される。図３Ａにおいて、一つのコイル上の各巻きの範囲内に位置する一次側部分１１の領域は、それぞれの電流Ｉｐの循環方向に応じて、記号「Ｉ」又は「ＩＩ」の一方によって表される。電動モータ１０の動作中に、電流Ｉｐは、直流又は交流のどちらでもよい。電流Ｉｐによって導体路４０の周囲に生成される磁場は、「Ｉ」と「ＩＩ」によって区別された領域ごとに異なる（反対）極性を有する。Ｉｐが直流であるならば、領域「Ｉ」と「ＩＩ」との間の遷移ごとに極性を変える静磁場が発生する。Ｉｐが交流であるならば、それぞれの極性は、時間ｔに応じて変化し、Ｚ方向に移動する動磁場が発生する。
【００３５】
図３Ｂ−Ｃに示されるように、二次側部分１２に配置された装置１３及び１３’の構造は、装置１３、１３と一次側部分１１のＺ方向の長さの相違を無視するならば、一次側部分１１の構造と実質的に一致する。
【００３６】
二次側部分１２に配置された装置１３、１３’のそれぞれは、基板５０を含み、基板の基礎表面には導体路５０が付される。導体路５０は、それぞれが電気端子６７又は６８と接続された両端を有する。電圧Ｕｓは、導体路に電流Ｉｓを供給するため電気端子６７及び６８に印加される。導体路は二つの導体路区分６１及び６２を有し、二つの導体路区分は、それぞれ基板５０の別々の面に配置され、電気接続部６５によってそれぞれの端ごとに一つに接続される。わかりやすくするため、図面への視線方向に対向する基板５０の基礎表面に設けられた導体路区分６１はそれぞれ図３Ｂにおいて実線で描かれ、図面への視線方向の反対側に対応する基板５０の基礎表面に設けられた導体路区分６２はそれぞれ破線で描かれている。導体路区分６１及び６２は、それぞれの巻きを有する複数のコイルが基板５０に形成されるように直列接続される。コイルは、その場合、互いに直接的に隣接した状態になるようＺ方向に並べられる。導体路区分６１及び６２は、隣接したコイルに逆向きに循環する電流Ｉｓが流れるように接続される。図３Ｂにおいて、一つのコイル上の各巻きの範囲内に位置する装置１３又は１３’の領域は、それぞれの電流Ｉｓの循環方向に応じて、電流Ｉｓのそれぞれの循環方向を示す矢印と、記号「＋」と「−」の一方とによって表される。電動モータ１０の動作中に、電流Ｉｓは直流である。電流Ｉｓによって導体路６０の周囲に生成される磁場は、静磁場であり、「＋」と「−」によって区別された領域ごとに異なる（反対）極性を有する。
【００３７】
一次側部分１１の領域「Ｉ」及び「ＩＩ」は、Ｚ方向に同じ長さを有する。装置１３及び１３’の領域「＋」及び「−」は、それぞれ、Ｚ方向に同じ長さを有する。二次側部分１２は、装置１３及び１３’の領域「＋」及び「−」がＺ方向に領域「Ｉ」及び「ＩＩ」と実質的に同じ長さを有する範囲内で一次側部分１１と適合する。
【００３８】
電動モータ１０の動作時に一次側部分１１を二次側部分１２に対して相対的に移動させるため、直流が電流Ｉｓとして選択され、交流が電流Ｉｐとして選択される。この場合、一次側部分１１及び二次側部分１２は、電流Ｉｐによって生成され、一次側部分１１に沿ってＺ方向に移動する磁場によって同期して動かされる。一次側部分１１が（＋Ｚ）方向へ動かされるか、又は、その逆向きの（−Ｚ）方向へ動かされるかは、一次側部分１１の二次側部分１２に対する瞬時的な相対位置に応じて交流Ｉｐの瞬時的な位相位置によって決まる。一次側部分１１の二次側部分１２に対する相対移動を阻止するため、複数の選択可能性があり、直流を電流Ｉｐとして均等に選択可能であり、又は、Ｉｐ＝０若しくはＩｓ＝０を実現可能である。電動モータ１０の動作を制御するため、一次側部分１１の二次側部分１２に対する瞬時的な相対位置に応じて、その都度、振幅、位相位置及び周波数に関して電流Ｉｓ及びＩｐを制御する制御装置（図１Ａ−Ｂ及び３Ａ−Ｃに図示されず）が対応して設けられる。
【００３９】
基板３０及び５０は、好ましくは、高強度を有する電気的絶縁材料、例えば、プラスチック材料又はセラミック材料から作られる。有利には、基板３０及び５０は非強磁性材料から作られる。この場合、一次側部分１１と二次側部分１２との間の外乱力を回避することができるので、一次側部分１１と二次側部分１２との間の相対移動は高精度で制御可能である。
【００４０】
二次側部分１２に配置された装置１３及び１３’の構造と、一次側部分１１の構造は、本発明の範囲内において多数の方法で変更可能である。導体路４０及び６０は、それぞれ、例えば、一次側部分１１の表面又は装置１３及び１３’の表面が平坦な絶縁層によって形成されるような形で絶縁層によって覆われる。導体路４０及び５０は、或いは、領域「Ｉ」及び「ＩＩ」、及び／又は、領域「＋」及び「−」がそれぞれ、複数の巻きを備えたコイルを個々に形成する導体路区分によって囲まれるように導くことが可能である。その上、前記コイルは、基板３０及び５０の一方の側面だけに作られた導体路区分によって形成してもよい。複数の巻きを備えたコイルは、例えば、それぞれが導電領域及び電気的絶縁領域を含む複数層の層構造に構築してもよい。異なる層は基板３０又は５０に連続的に付され、又は、選択的に適当に構造化される。
【００４１】
図３Ａによる一次側部分は、単相制御型一次側部分の簡単な例を表している。或いは、一次側部分１１は、互いに独立に電流を供給することができる複数の導体路を具備してもよい。この場合、個々に異なる位相を有する種々の交流は、動磁場を生成するため導体路へ供給される。一次側部分１１に配置された種々の導体路の配置は、電動モータを最適化するため、装置１３及び１３’の「＋」及び「−」によって指定された領域の配置に対して幾何学的に決定できる。このような方法で一次側部分を最適化する考え方は、例えば、欧州特許出願公開第０，９４９，７４９号明細書及び国際特許出願公開第００／４９７０２号パンフレットで知られている。
【００４２】
二次側部分１２は、構造が同一であり、さらに、一次側部分１１に関して対称的に配置された二つの装置１３及び１３’を含む。この配置は、電動モータ１０の動作中に、一次側部分１１と二次側部分１２との間で、Ｚ方向と垂直（すなわち、一次側部分１１が二次側部分１２に対して相対的に移動可能である方向）に作用する力が発生しない点で有利である。或いは、二次側部分１２は、装置１３と１３’のうちの一方だけを有する二次側部分により置き換えることも可能である。
【００４３】
図１Ａ−Ｂによる電動モータ１０に関する上記の詳細は、一次側部分２１が二次側部分２２よりもＺ方向に広い長さ範囲を有する点に注意さえすれば、同様の形で図２Ａ−Ｂによる電動モータへ転用可能である。これに相応して、一次側部分２１は図３Ａに示された一次側部分１１と同じ構造を有し、装置２３、２３’は図３Ｂに示された装置１３、１３’と同じ構造を有し、重要な相違点は、一次側部分２１が装置２３、２３’との対比において、Ｘ方向に一列で次から次へと配置されたより多数のコイルを具備し、これにより、一次側部分２１に沿ってＺ方向に移動する磁場が電動モータ２０の動作中に生成されたとき、二次側部分２２は一次側部分２１の全長に亘って移動できる点である。
【００４４】
図４Ａ−Ｂ及び５Ａ−Ｂは、本発明により構成された電動モータをリフトに使用する２種類の例を示している。
【００４５】
図４Ａには、本発明によって構成され、リフト７０に設置された電動モータ９０が示されている。リフト７０は、案内レール７２の案内面７２’に沿って案内されるケージ７１を含む。図４Ａでは、電動モータ９０の付近にはリフト７０の一部分だけが示されている。案内面７２’に沿ってケージ７１を動かす駆動装置と、その他の有用なリフト構成部品は図示されない。案内装置７５は、案内面７２’に沿ってケージ７１を案内するため設けられる。案内装置７５は、（ｉ）ケージ７１に取り付けられた支持体７７と、（ｉｉ）回転軸８０の周りに回転可能なローラとして作られた案内素子７６と、（ｉｉｉ）回転軸８０が取り付けられ、支持体７７に取り付けられレバー７８の一端に配置された回転軸７９の周りに旋回可能であるレバー７８と、（ｉｖ）支持体７７に配置され、回転軸７９から離れている方のレバー７８の端を案内する機能を果たすロッド形案内装置８５と、（ｖ）レバー７８と案内装置８５の一端との間に配置され、ケージ７１が案内レール７２に沿って移動するときに案内素子７６が案内面７２’と接触させられ、（特定の限界内で予め決められた）特定の力で対応した案内面７２’に押圧されるような形で付勢されたスプリング８６とを含む。案内素子７８は、回転軸７９周りのレバー７８の旋回運動を利用して、ケージ７１に対して相対的に移動させることが可能である。本例では、案内素子７６は、ケージ７１が案内面７２’に沿って移動するとき、対応した案内面７２’上を転がる。
【００４６】
電動モータ９０は、ケージ７１に対する案内素子７６の瞬時的な位置が電動モータ９０の補助で電気的に制御された形で変更できるように、支持体７７及びレバー７８に固定される。
【００４７】
図４Ｂは、図４Ａの切断面４Ｂ−４Ｂによる電動モータ９０の図である。電動モータ９０は、リニアモータとして設計され、実質的に電動モータ１０及び２０と同じように組み立てられる。電動モータ９０は、動磁場を生成する一次側部分９１と静磁場を生成する二次側部分９２を含む。二次側部分９２は、その構造の点で、電動モータ１０及び２０のそれぞれの二次側部分１２及び２２と実質的に一致する。二次側部分９２は、装置１３及び１３’と同じように構成され、例えば、図３Ｂ−Ｃに示されたレイアウトに従って実現することができる二つの装置９３及び９３’を含む。これに相応して、装置１３及び１３’は、それぞれ、基板に配置され、静磁場を生成する目的で電流を供給することができる対応した導体路を含む。それぞれの基板は、板状であり、平坦な表面を有する。装置９３及び９３’は、装置９３と９３’との間にエアギャップが形成されるように、互いに平行に配置され、図４Ｂに示されるようにＵ字形の断面を有する支持体９５に固定される。一次側部分９１はこのエアギャップ内に、移動可能に配置される。一次側部分９１は、その構造の点で、電動モータ１０及び２０のそれぞれの一次側部分１１及び２１と実質的に一致する。それは、例えば、図３Ａに示されたレイアウトに従って実現できる。動磁場を生成する目的で、例えば、基板に配置され、交流を供給することができる導体路が設けられる。二次側部分９２に直流を供給し、一次側部分９１に交流を供給する場合、一次側部分９１は、（一次側部分９１によって生成された動磁場と同期して）二次側部分９２に対して相対的に移動できる。この移動は、本例では、図４Ａに両矢印で示されるように、案内装置８５の長手方向で行われる。図４Ａ−Ｂに示されるように、二次側部分９２は支持体７７に固定される。その上、回転軸７９から遠い方のレバー７８の端は、連結素子８９によって一次側部分９１と連結される。これに応じて、電動モータ９０の動作中に、一次側部分９１の移動が回転軸７９周りのレバー７８の旋回運動によって実現される。案内素子７６は、したがって、電動モータ９０の適切な電気制御によってケージ７１に対して相対的に移動させられる。これに応じて、案内素子７６が接触させられる案内面７２’に対するケージ７１の相対的な位置は移動可能である。特に、電動モータ９０を駆動する適当な電気制御により領域内で制御された形でケージ７１と案内面７２’との間の間隔を変えることが可能である。
【００４８】
電子モータ９０用のモータ制御装置（図示せず）は、図４Ａ及び４Ｂによるリフトに設けられ、このモータ制御装置は、所定の基準に従って案内素子７６のケージ７１に対する相対的な位置に影響を与えるため、適当なセンサの信号に応じて、一次側部分９１及び二次側部分９２又は装置９３及び９３’に供給する電流を、例えば、その振幅、周波数及び位相位置に関して制御する。例えば、リフトケージが案内面７２’に沿って移動する間に、ケージ７１の移動方向に対して横方向に発生するケージ７１の振動を検出するセンサが設けられる。モータ制御は、これらのセンサの信号に応じて、電動モータ９０にケージ７１の振動を補償する運動を生じさせるので、これらの振動は低減可能であり、ある種のケースでは、抑制可能である。
【００４９】
図４Ａ及び４Ｂによるリフト７０は、本発明の範囲内において多数の形態で変更することができる。
【００５０】
一変形型において、電動モータは、一次側部分９１がリフトケージ７１に対して静止し、二次側部分９２が案内素子７５と共にケージ７１に対して移動可能であるように、案内装置７５に関して配置される。さらに、装置９３と９３’のうちの一方を省くことが可能である。その上、一次側部分９１は、複数の電流によって動磁場を生成するため、互いに独立に電流を供給することができる複数の導体路を有する。これらの電流は数種類の位相をとり得る。この場合、一次側部分への電流供給は多相になるように設計されるべきであり、電動モータ９０のモータ制御は、一次側部分９１のそれぞれの導体路を流れる電流の振幅、周波数及び位相を適切に制御するため、適切に適応させられるべきである。さらに、装置９３及び９３’のための支持体９５は、支持体９５内で一次側部分９１から離れている方の装置９３及び９３’の側面に磁束を集めるため、軟磁性材料から作ることができる。
【００５１】
リフト７０のさらなる一変形型では、ケージ７１は、複数の案内レール７２（例えば、互いに平行に配置された少なくとも２本のレール）で案内され、複数の案内装置７５はそれぞれの案内レール７２に沿ってケージ７１を案内するためケージ７１に固定される。複数の案内装置７５は、また、案内レール７２のうちの一つでケージ７１を案内するためケージ７１に固定され、例えば、二つの案内装置７５は、それぞれの案内レール７２の長手方向に離れている。案内レール７２は、また、上記の案内面７２’の他に、それぞれの案内レール７２の長手方向にケージ７１を案内するために適したさらなる案内面を具備してもよい。各案内レール７２は、例えば、案内レール７２の長手方向へ延びる２乃至３個の案内面を有し、それぞれの案内レール７２の断面と称されるそれぞれに隣接した案内面は、互いに１８０°未満（例えば、９０°）の角度で配置される。これに相応して、複数の案内装置７５は、図４Ａに関連して説明したように、ケージ７１が少なくとも一つの案内素子７６（好ましくは二つの案内素子７６）によって各案内面と接触させられるようにケージ７１に配置され、ここで、案内素子７６は、それぞれ、ケージ７１に対して移動可能であり、スプリング８６は、それぞれ、ケージ７１が案内レール７２に沿って動かされるときでも、案内素子７６が有限の力によってそれぞれの案内面に作用するように付勢され、これは、ケージ７１の移動方向に対して横方向に向けられた、対応した振動をケージに引き起こす可能性のある外乱力の影響下で処理されるべきである。すべての案内素子７６に対するケージ７１の配置は、図４Ａ−Ｂに関連して説明したように、対応した個数の電動モータ９０によって、可変的に電気制御される。ケージ７１をケージの移動方向に横向きの振動に対して低感度にするため、振動に関するケージ７１のすべての関連した自由度がセンサによる測定によって検出される。振動を軽減するため、駆動中の電動モータ９０を適切に制御し、振動を補償する動きを引き起こすモータ制御装置が設けられる。案内装置７５と電動モータ９０の台数及び配置は、モータ制御装置によって検出されるべき振動に関する自由度の数に対応して選択される。
【００５２】
図５Ａは、軌道に沿って移動可能であるケージ１０２を含むリフト１００を示す。図５Ｂは、図５Ａの切断面５Ｂ−５Ｂによるリフト１００の断面図である。
【００５３】
案内レール１０３はリフト軸の壁１０１に配置される。ケージは、案内レール１０３の軌道に沿って移動する場合、図５Ａ−Ｂには示されていない従来の案内手段によって案内される。本発明により構成された電動モータ１１０は、ケージ１０２の案内レール１０３に沿った移動用の駆動装置としての機能を果たす。電動モータ１１０は、電動モータ１０及び２０に関連して説明した考え方に基づくリニアモータとして考える。電動モータ１１０は、動磁場を生成する一次側部分１１１と静磁場を生成する二次側部分１１２を含む。
【００５４】
一次側部分１１１及び二次側部分１１２は、一次側部分１１１と二次側部分１１２が動磁場の影響で相対的に移動できるように配置される。一次側部分１１１は、一次側部分１１１によって発生させることができる動磁場がケージの軌道と平行に動くように配置される。一次側部分１１１はケージ１０２の軌道の全長に沿って延びる。それは案内レール１０３に固定される。一次側部分１１１は、ケージの軌道に沿って連続的に配置され、それぞれが基板上に配置された導体路を有する複数のモジュールにより構成され、異なるモジュールの導体路は動磁場を生成する目的で電流が供給される。各モジュールは、例えば、電動モータ１０の一次側部分１１のように構築される。異なるモジュールの導体路は直列接続され、共通の電源をもつ。しかし、異なるモジュールの導体路は、また、別個の電源をもっていても構わない。後者の場合、ケージ１０２の軌道の個々の一部の区分だけに、それぞれの要求に応じて、動磁場を生成することが可能である。
【００５５】
二次側部分１１２は、ケージ１０２の軌道の方向に一次側部分１１１よりも短い長さを有し、ケージ１０２に固定される。本例では、連結素子１０９は、二次側部分１１２をケージ１０２から適当な間隔に保つため、二次側部分１１２とケージ１０２との間に配置される。二次側部分は、図１Ｂ、２Ｂ及び４Ｂとの比較からわかるように、電動モータ１０、２０及び９０の二次側部分と実質的に同じ構造を有する。
【００５６】
二次側部分１１２は、装置１３及び１３’と同じように構成され、例えば、図３Ｂ−Ｃに示されたレイアウトに従って実現できる二つの装置１１３及び１１３’を含む。これに相応して、装置１１３及び１１３’は、それぞれ、基板に配置され、静磁場を生成する目的で電流を供給することができる対応した導体路を含む。それぞれの基板は、板状であり、平坦な表面を有する。装置１１３及び１１３’は、装置１１３と１１３’との間にエアギャップが形成されるように、互いに平行に配置され、図５Ｂに示されるようにＵ字形の断面を有する支持体１１５に固定される。支持体１５、２５及び９５と同様に、支持体１１５は、また、軟磁性材料から作ることができる。
【００５７】
二次側部分１１２は、一次側部分１１１が二次側部分１１２の装置１１３と１１３’との間のエアギャップに突出し、ケージ１０２が案内レール１０３に沿って動かされるときに装置１１３及び１１３’と接触しないような形で配置される。後者の場合、ケージ１０２を案内レール１０３に沿って案内する上記の案内手段が、必要な精度及び剛性を確保することを前提としている。
【００５８】
動作中に、ケージ１０２は、一次側部分１１１の導体路と二次側部分１１２の導体路に適切に電流が供給されるならば、移動させること、又は、所定の位置に保持することが可能である。一次側部分１１１が動磁場を生成するように駆動中に制御されるならば、ケージ１０２は、動磁場と同期して案内レール１０３に沿って移動される。一次側部分１１１だけではなく、二次側部分１１２にも直流が供給されるならば、ケージ１０２は所定の位置に保持できる。モータ１１０は、電動モータ１１０によって動作中にケージ１０２に加えられる力が、さらなる補助力を用いることなく、ケージを保持するために十分であるように設計できる。この例では、リフト１００は、ケージ１０２用の支持手段を用いることなく（すなわち、ケーブル又はベルトを用いることなく）、かつ、釣り合い重りを用いることなく動作させることができる。
【００５９】
リフト１００は、本発明の範囲内において様々な方法で変更することができる。一次側部分１１１と二次側部分１１２は、案内レール１０３の長手方向に関して、長さが著しく異なるので、一次側部分１１１と二次側部分１１２の導体路への電流供給は、また、一次側部分１１１が二次側部分１１２に重なる一次側部分１１１と二次側部分１１２の領域だけに電流が流れるように構成することができる。電動モータ１１０のエネルギー消費はこのようにして削減される。さらなる一変形型では、リフト１００は複数の案内レール１０３で案内される。案内レールはケージ１０２の異なる側面に配置される。これに相応して、ケージ１０２は複数の電動モータ１１０によって駆動される。後者の例では、例えば、図５Ａ及び５Ｂに示された考え方に従って、異なる電動モータ１１０の一次側部分１１１はそれぞれの案内レールに配置され、対応した二次側部分１１２はケージ１０２に固定される。
【００６０】
リフト１００のさらなる変形型によれば、電動モータ１１０は、本発明により構築され、その一次側部分がケージ１０３に関して静止位置に配置され、その二次側部分がケージ１０３の軌道に関して静止位置に配置された、種々の電動モータによって個々の場合に置き換えることが可能である。この例では、それぞれの二次側部分は軌道の全長に沿って延びる。それぞれの一次側部分の軌道に沿った長さは、これに反して、対応した二次側部分の長さよりも短縮される。
【００６１】
さらに、上記の電動モータ及びケージは、別個の手段によってケージ１０２の軌道に沿って案内してもよい。その上、電動モータ１０、２０及び９０のため開示された変更は、同じように電動モータ１１０に転用できる。
【図面の簡単な説明】
【００６２】
【図１Ａ】一次側部分及び二次側部分を具備し、一次側部分が二次側部分に対して相対的に移動可能である本発明による電動モータの図である。
【図１Ｂ】図１Ａの電動モータの切断面１Ｂ−１Ｂによる断面図である。
【図２Ａ】一次側部分及び二次側部分を具備し、二次側部分が一次側部分に対して相対的に移動可能である本発明による別の電動モータの断面図である。
【図２Ｂ】図２Ａの電動モータの切断面２Ｂ−２Ｂによる断面図である。
【図３Ａ】図１Ａの一次側部分の詳細図である。
【図３Ｂ】図１Ａの二次側部分の詳細図である。
【図３Ｃ】図３Ｂの二次側部分の切断面３Ｃ−３Ｃによる断面図である。
【図４Ａ】ケージ及びケージの案内用の案内素子と、案内素子をケージに対して移動するための本発明による電動モータとを具備したリフトの図である。
【図４Ｂ】図４Ａの電動モータの切断面４Ｂ−４Ｂによる断面図である。
【図５Ａ】ケージ及びケージの移動用の駆動装置としての本発明による電動モータとを具備したリフトの図である。
【図５Ｂ】図５Ａのリフトの切断面５Ｂ−５Ｂによる断面図である。
【符号の説明】
【００６３】
１０、２０、９０、１１０  電動モータ
１１、２１、９１、１１１  一次側部分
１２、２２、９２、１１２  二次側部分
１３、１３’、２３、２３’、９３、９３’、１１３、１１３’  装置
１５、２５、７７、９５、１１５  支持体
１６、２６  ベース板
１８、２８  エアギャップ
３０、５０  基板
４０、６０  導体路
４１、４２、６１、６２  導体路区分
４５、６５  電気接続部
４７、４８、６７、６８  電気端子
７０、１００  リフト
７１、１０２  ケージ
７２、１０３  案内レール
７２’  案内面
７５、８５  案内装置
７６  案内素子
７８  レバー
７９、８０  回転軸
８６  スプリング
１０１  壁
１０９  連結素子
【図１Ａ】
2005065488.tif 000003
【図１Ｂ】
2005065488.tif 000004
【図２Ａ】
2005065488.tif 000005
【図２Ｂ】
2005065488.tif 000006
【図３Ａ】
2005065488.tif 000007
【図３Ｂ】
2005065488.tif 000008
【図３Ｃ】
2005065488.tif 000009
【図４Ａ】
2005065488.tif 000010
【図４Ｂ】
2005065488.tif 000011
【図５Ａ】
2005065488.tif 000012
【図５Ｂ】
2005065488.tif 000013
【外国語明細書】
2005065488.tif 000014
2005065488.tif 000015
2005065488.tif 000016
2005065488.tif 000017
2005065488.tif 000018
2005065488.tif 000019
2005065488.tif 000020
2005065488.tif 000021
2005065488.tif 000022
2005065488.tif 000023
2005065488.tif 000024
2005065488.tif 000025
2005065488.tif 000026
2005065488.tif 000027
2005065488.tif 000028
2005065488.tif 000029
2005065488.tif 000030
2005065488.tif 000031
2005065488.tif 000032
2005065488.tif 000033
2005065488.tif 000034
2005065488.tif 000035
2005065488.tif 000036
2005065488.tif 000037
2005065488.tif 000038
2005065488.tif 000039
2005065488.tif 000040
2005065488.tif 000041
2005065488.tif 000042
2005065488.tif 000043
2005065488.tif 000044
2005065488.tif 000045